(57)【要約】【課題】簡単な構造でフィルムの安定した間欠移動を行うことができる表示装置を提供する。【解決手段】本体１０に照明手段４０が設けられており、その前方においてモザイクフィルムとマスクフィルムが重なるように接している。モザイクフィルムはモザイクフィルム支持枠を介して本体１０に固定されている。マスクフィルムはマスクフィルム支持枠３０に取り付けられている。本体１０にはマスクフィルム支持枠３０の上下縁部には一対のＸ軸駆動機構７０が設置され、左右縁部に一対のＹ軸駆動機構７０’が配置されている。コントローラ８０の制御により、Ｘ軸駆動機構７０とＹ軸駆動機構７０’が交互に駆動されることにより、フィルム支持枠３０は微小の正方形の軌跡を描くようにして間欠移動され、これにより４つの画像を切り換え表示することができる。【選択図】　図３
2004020931.tif 000002
【特許請求の範囲】
【請求項１】
（ａ）本体と、
（ｂ）上記本体に設けられた照明手段と、
（ｃ）上記照明手段の前方に配置され、互いに直交するＸ軸，Ｙ軸に沿ってマトリックス状に配した多数の小領域を有し、各小領域に同一面積の複数群の画素をＸ軸，Ｙ軸に沿って配列表示した光透過性のモザイクフィルムと、
（ｄ）上記モザイクフィルムの前面に重なるように配置され、上記複数群の画素のうち一つの群の画素に対応する位置に多数の透光部を形成した光透過不能なマスクフィルムと、
（ｅ）上記モザイクフィルムとマスクフィルムのうち一方のフィルムを上記本体の所定位置に固定するフィルム固定手段と、
（ｆ）上記モザイクフィルムとマスクフィルムのうち他方のフィルムが取り付けられるフィルム支持体と、
（ｇ）上記本体に設けられフィルム支持体を微小量間欠移動させるフィルム移動手段と、
（ｈ）上記フィルム移動手段を制御する制御手段と
を備え、上記フィルム支持体の一つの停止位置で上記マスクフィルムの透光部とモザイクフィルムの一つの群の画素とを一致させることにより、一つの画像を表示させ、他の停止位置でマスクフィルムの透光部とモザイクフィルムの他の群の画素とを一致させることにより、他の画像を表示させるようにした表示装置において、
上記フィルム移動手段は、上記フィルム支持体をＸ軸方向に間欠的に往復移動させるＸ軸移動手段と、上記フィルム支持体をＹ軸方向に間欠的に往復移動させるＹ軸移動手段とを備え、上記制御手段は上記Ｘ軸移動手段とＹ軸移動手段を独立して制御可能であることを特徴とする表示装置。
【請求項２】
上記フィルム支持体は、Ｙ軸方向に延びる第１受面と、Ｘ軸方向に延びる第２受面とを有し、
上記Ｘ軸移動手段は、少なくとも一つのＸ軸駆動機構を含み、このＸ軸駆動機構は、モータと、このモータの回転を減速機構を介して受ける回転軸と、この回転軸に設けられ上記第１受面に当たるカムとを有し、
上記Ｙ軸移動手段は、少なくとも一つのＹ軸駆動機構を含み、このＹ軸駆動機構は、モータと、このモータの回転を減速機構を介して受ける回転軸と、この回転軸に設けられ上記第２受面に当たるカムとを有することを特徴とする請求項１に記載の表示装置。
【請求項３】
上記フィルム支持体は、Ｙ軸方向に延びその両側面が上記第１受面として提供される第１スリットと、Ｘ軸方向に延びその両側面が上記第２受面として提供される第２スリットとを有し、上記Ｘ軸駆動機構，Ｙ軸駆動機構のカムは断面円形の偏心カムからなり、この偏心カムが上記第１，第２スリットにそれぞれ挿入されていることを特徴とする請求項２に記載の表示装置。
【請求項４】
上記Ｘ軸は水平軸でありＹ軸が垂直軸であり、上記Ｘ軸移動手段は、矩形をなすフィルム支持体の上下縁部に左右位置をほぼ等しくして配置された一対のＸ軸駆動機構からなり、上記Ｙ軸移動手段は、上記フィルム支持体の左右縁部に高さをほぼ等しくして配置された一対のＹ軸駆動機構からなることを特徴とする請求項２または３に記載の表示装置。
【請求項５】
上記モザイクフィルムには第１〜第４の４つの群の正方形の画素が、正方形の小領域において時計周りまたは反時計回りに順に配置されており、
上記Ｘ軸駆動機構にはＸ軸位置検出手段が設けられ、このＸ軸位置検出手段は、Ｘ軸駆動機構の回転軸が１８０°離れた２つの特定角度位置に達する度にその特定角度位置を検出し、これら回転軸の特定角度位置はフィルム支持体の左限位置，右限位置にそれぞれ対応し、
上記Ｙ軸駆動機構にはＹ軸位置検出手段が設けられ、このＹ軸位置検出手段は、Ｙ軸駆動機構の回転軸が１８０°離れた２つの特定角度位置に達する度にその特定角度位置を検出し、これら回転軸の特定角度位置はフィルム支持体の上限位置，下限位置にそれぞれ対応し、
上記制御手段は、上記Ｘ軸位置検出手段からの検出信号に応答してＸ軸駆動機構を一時停止し、上記Ｙ軸位置検出手段からの検出信号に応答してＹ軸駆動機構を一時停止し、
上記フィルム支持体のＸ軸方向の２つの限界位置とＹ軸方向の２つの限界位置により決定されるフィルム支持体の４つの位置で、マスクフィルムの透光部がモザイクフィルムの第１〜第４の群の画素にそれぞれ一致することを特徴とする請求項２〜４のいずれかに記載の表示装置。
【請求項６】
上記制御手段は、上記Ｘ軸移動手段とＹ軸移動手段を交互に移動させることにより、マスクフィルムの透光部を上記モザイクフィルムの第１〜第４群の画素に順に一致させ、これにより上記４つの画像を切り換え表示することを特徴とする請求項５に記載の表示装置。
【請求項７】
上記制御手段は、上記Ｘ軸移動手段とＹ軸移動手段のうち一方を停止したまま、他方を駆動させることにより、上記マスクフィルムの透光部を上記モザイクフィルムにおいてＸ軸方向に隣接する２つの群の画素に交互に一致させるかまたはＹ軸方向に隣接する２つの群の画素に交互に一致させ、これにより２つの画像を切り換え表示することを特徴とする請求項５に記載の表示装置。
【請求項８】
上記制御手段は、上記Ｘ軸移動手段とＹ軸移動手段を同時駆動することにより、上記マスクフィルムの透光部を上記モザイクフィルムにおいて斜めに対峙する２つの群の画素に交互に一致させ、これにより２つの画像を切り換え表示することを特徴とする請求項５に記載の表示装置。
【請求項９】
上記フィルム支持体に支持されるモザイクフィルムまたはマスクフィルムの縁部または隅部にマークが表示され、このマークに対峙して光学センサが配置されており、
上記Ｘ軸位置検出手段およびＹ軸位置検出手段がそれぞれ回転軸の一つの特定角度位置を検出して上記フィルム支持体が停止し、マスクフィルムの透光部がモザイクフィルムの一つの群の画素と完全に一致した状態において、上記制御手段は、上記光学センサによるマークの検出位置を初期位置として記憶し、以後のＸ軸駆動機構，Ｙ軸駆動機構の制御の過程で、上記フィルム支持体の停止位置での光学センサによるマークの検出位置と上記初期位置との比較に基づき、上記マスクフィルムとマスクフィルムとの間の相対的位置ずれ量を検出することを特徴とする請求項５に記載の表示装置。
【請求項１０】
（ａ）本体と、
（ｂ）上記本体に設けられた照明手段と、
（ｃ）上記照明手段の前方に配置され、互いに直交するＸ軸，Ｙ軸に沿ってマトリックス状に配した多数の小領域を有し、各小領域に同一面積の複数群の画素をＸ軸，Ｙ軸に沿って配列表示した光透過性のモザイクフィルムと、
（ｄ）上記モザイクフィルムの前面に重なるように配置され、上記複数群の画素のうち一つの群の画素に対応する位置に多数の透光部を形成した光透過不能なマスクフィルムと、
（ｅ）上記モザイクフィルムを支持するモザイクフィルム支持体と、
（ｆ）上記マスクフィルムを支持するマスクフィルム支持体と、
（ｇ）上記本体に設けられ上記モザイクフィルム支持体をＸ軸方向に微小量間欠的に往復動させるモザイクフィルム移動手段と、
（ｈ）上記本体に設けられ上記マスクフィルム支持体をＹ軸方向に微小量間欠的に往復動させるマスクフィルム移動手段と、
（ｉ）上記モザイクフィルム移動手段およびマスクフィルム移動手段を制御する制御手段と
を備え、上記制御手段によるモザイクフィルム移動手段とマスクフィルム移動手段の制御により、上記モザイクフィルム支持体が複数の停止位置のいずれかに停止し、上記マスクフィルム支持体が複数の停止位置のいずれかに停止した時に、上記マスクフィルムの透光部がモザイクフィルムのいずれかの群の画素に一致し、画像を表示させるようにしたことを特徴とする表示装置。
【発明の詳細な説明】
【０００１】
【発明の属する技術分野】
本発明は、複数の群からなる画素を表示したモザイクフィルムと、一つの群の画素に対応する位置に多数の透光部を形成してなるマスクフィルムを備え、一方のフィルムの他方のフィルムに対する微少量の相対移動により画素群を選択して各画素群により構成される画像の切り換え表示を行うようにした表示装置に関する。
【０００２】
【従来の技術】
特許２７２９４８２号公報には、表示画像を切り換えることができる安価な表示装置が開示されている。この表示装置は、本体と、この本体に設けられた照明手段と、この照明手段の前方に配置されたモザイクフィルムおよびマスクフィルムを備えている。モザイクフィルムには、４つの群からなる多数の画素が縦横に規則的に配列されている。マスクフィルムは、一つの群の画素に対応する位置に多数の開口（透光部）を形成してなる。モザイクフィルムとマスクフィルムは、それぞれ光透過可能な平板形状の支持板に支持されており、互いに接するようになっている。そして、モザイクフィルムを支持する支持板を機械的に微少量間欠的に移動させて、４つの群の画素を順次選択的にマスクフィルムの開口に一致させ、これにより４つの画像を順次切り換えて表示するようになっている。
【０００３】
上記モザイクフィルム支持板を移動させるフィルム移動手段について詳述する。このフィルム移動手段は、モザイクフィルム支持板の４隅近傍に配置された合計４つの駆動機構を備えている。各駆動機構は、モータと、このモータの出力軸に設けられた減速歯車機構とを有している。この減速歯車機構の最終段の大きな歯車には、スリットが形成されている。モザイクフィルム支持板の４隅には係合ピンが設けられており、この係合ピンが上記歯車のスリットに挿入されている。スリットには圧縮スプリングが収容されており、このスプリングの両端は、スリットの一端と係合ピンとにそれぞれ当たり、この係合ピンを常時付勢している。また、モザイクフィルム支持板の一つの隅の近傍には、一対の割出ピンが設けられている。これら割出ピンは、隅において交わる２つの面からそれぞれ突出している。これら割出ピンは、本体に設けられた割出凹部にそれぞれ収容されている。
【０００４】
上記モータが駆動して大きな歯車が９０°回る度に、位置検出手段がこれを検出してモータが所定時間だけ一時停止する。この停止状態では、歯車のスリットが傾斜しており、係合ピンがスプリングにより付勢されているため、モザイクフィルム支持体が、左下，左上，右上，右下のいずれかの方向に付勢される。このモザイクフィルム支持体は、一対の割出ピンが一対の割出凹部のいずれか一方の端に当たることにより位置決めされ、これによりモザイクフィルムの一つの群の画素とマスクフィルムの開口が一致する。
【０００５】
【発明が解決しようとする課題】
しかし上記公報の表示装置では、フィルム移動手段が係合ピン付勢用の４つのスプリングを細長いスリットに収容させなければならず、また割出ピンや割出凹部を必要とするため、構造が複雑でありメンテナンスの負担が大きい。
【０００６】
【課題を解決するための手段】
上記課題を解決するため、本発明は、
（ａ）本体と、
（ｂ）上記本体に設けられた照明手段と、
（ｃ）上記照明手段の前方に配置され、互いに直交するＸ軸，Ｙ軸に沿ってマトリックス状に配した多数の小領域を有し、各小領域に同一面積の複数群の画素をＸ軸，Ｙ軸に沿って配列表示した光透過性のモザイクフィルムと、
（ｄ）上記モザイクフィルムの前面に重なるように配置され、上記複数群の画素のうち一つの群の画素に対応する位置に多数の透光部を形成した光透過不能なマスクフィルムと、
（ｅ）上記モザイクフィルムとマスクフィルムのうち一方のフィルムを上記本体の所定位置に固定するフィルム固定手段と、
（ｆ）上記モザイクフィルムとマスクフィルムのうち他方のフィルムが取り付けられるフィルム支持体と、
（ｇ）上記本体に設けられフィルム支持体を微小量間欠移動させるフィルム移動手段と、
（ｈ）上記フィルム移動手段を制御する制御手段と
を備え、上記フィルム支持体の一つの停止位置で上記マスクフィルムの透光部とモザイクフィルムの一つの群の画素とを一致させることにより、一つの画像を表示させ、他の停止位置でマスクフィルムの透光部とモザイクフィルムの他の群の画素とを一致させることにより、他の画像を表示させるようにした表示装置において、
上記フィルム移動手段は、上記フィルム支持体をＸ軸方向に間欠的に往復移動させるＸ軸移動手段と、上記フィルム支持体をＹ軸方向に間欠的に往復移動させるＹ軸移動手段とを備え、上記制御手段は上記Ｘ軸移動手段とＹ軸移動手段を独立して制御可能である。
【０００７】
上記構成によれば、モザイクフィルムまたはマスクフィルムを支持するフィルム支持体の微少量のＸ軸方向の移動とＹ軸方向の移動を、別個のＸ軸移動手段，Ｙ軸移動手段で行うようにしたので、移動手段の構成を簡略化することができ、メンテナンスの負担を軽くすることができる。
【０００８】
本発明の一態様として、上記フィルム支持体は、Ｙ軸方向に延びる第１受面と、Ｘ軸方向に延びる第２受面とを有し、上記Ｘ軸移動手段は、少なくとも一つのＸ軸駆動機構を含み、このＸ軸駆動機構は、モータと、このモータの回転を減速機構を介して受ける回転軸と、この回転軸に設けられ上記第１受面に当たるカムとを有し、上記Ｙ軸移動手段は、少なくとも一つのＹ軸駆動機構を含み、このＹ軸駆動機構は、モータと、このモータの回転を減速機構を介して受ける回転軸と、この回転軸に設けられ上記第２受面に当たるカムとを有する。
この構成によれば、互いに直交する第１，第２受面へのＸ軸駆動機構，Ｙ軸駆動機構のカムの当たりにより、Ｘ軸駆動機構，Ｙ軸駆動機構の互いの干渉を確実に回避し、またフィルム支持体の安定した移動を行うことができる。
【０００９】
好ましくは、上記フィルム支持体は、Ｙ軸方向に延びその両側面が上記第１受面として提供される第１スリットと、Ｘ軸方向に延びその両側面が上記第２受面として提供される第２スリットとを有し、上記Ｘ軸駆動機構，Ｙ軸駆動機構のカムは断面円形の偏心カムからなり、この偏心カムが上記第１，第２スリットにそれぞれ挿入されている。
この構成によれば、偏心カムとスリットでフィルム支持体の移動を行うので、付加的構成を必要とせず、安定したフィルム支持体の移動と正確な位置での一時停止が可能となる。
【００１０】
好ましくは、上記Ｘ軸は水平軸でありＹ軸が垂直軸であり、上記Ｘ軸移動手段は、矩形をなすフィルム支持体の上下縁部に左右位置をほぼ等しくして配置された一対のＸ軸駆動機構からなり、上記Ｙ軸移動手段は、上記フィルム支持体の左右縁部に高さをほぼ等しくして配置された一対のＹ軸駆動機構からなる。
これによれば、フィルム支持体の移動をより一層安定に行うことができる。
【００１１】
好ましくは、上記モザイクフィルムには第１〜第４の４つの群の正方形の画素が、正方形の小領域において時計周りまたは反時計回りに順に配置されており、上記Ｘ軸駆動機構にはＸ軸位置検出手段が設けられ、このＸ軸位置検出手段は、Ｘ軸駆動機構の回転軸が１８０°離れた２つの特定角度位置に達する度にその特定角度位置を検出し、これら回転軸の特定角度位置はフィルム支持体の左限位置，右限位置にそれぞれ対応し、
上記Ｙ軸駆動機構にはＹ軸位置検出手段が設けられ、このＹ軸位置検出手段は、Ｙ軸駆動機構の回転軸が１８０°離れた２つの特定角度位置に達する度にその特定角度位置を検出し、これら回転軸の特定角度位置はフィルム支持体の上限位置，下限位置にそれぞれ対応し、
上記制御手段は、上記Ｘ軸位置検出手段からの検出信号に応答してＸ軸駆動機構を一時停止し、上記Ｙ軸位置検出手段からの検出信号に応答してＹ軸駆動機構を一時停止し、
上記フィルム支持体のＸ軸方向の２つの限界位置とＹ軸方向の２つの限界位置により決定されるフィルム支持体の４つの位置で、マスクフィルムの透光部がモザイクフィルムの第１〜第４の群の画素にそれぞれ一致する。
【００１２】
上記構成によれば、Ｘ軸位置検出手段，Ｙ軸位置検出手段でフィルム支持体の限界位置を実質的に検出して一時停止することにより、正確な位置でのフィルム支持体の一時停止を行うことができる。
【００１３】
制御手段により、Ｘ軸駆動機構，Ｙ軸駆動機構の独立制御を行うことができるので、多様な表示モードを実行可能である。
例えば、上記制御手段は、上記Ｘ軸移動手段とＹ軸移動手段を交互に移動させることにより、マスクフィルムの透光部を上記モザイクフィルムの第１〜第４群の画素に順に一致させ、これにより上記４つの画像を切り換え表示する。
例えば、上記制御手段は、上記Ｘ軸移動手段とＹ軸移動手段のうち一方を停止したまま、他方を駆動させることにより、上記マスクフィルムの透光部を上記モザイクフィルムにおいてＸ軸方向に隣接する２つの群の画素に交互に一致させるかまたはＹ軸方向に隣接する２つの群の画素に交互に一致させ、これにより２つの画像を切り換え表示する。
例えば、上記制御手段は、上記Ｘ軸移動手段とＹ軸移動手段を同時駆動することにより、上記マスクフィルムの透光部を上記モザイクフィルムにおいて斜めに対峙する２つの群の画素に交互に一致させ、これにより２つの画像を切り換え表示する。
【００１４】
好ましくは、上記フィルム支持体に支持されるモザイクフィルムまたはマスクフィルムの縁部または隅部にマークが表示され、このマークに対峙して光学センサが配置されており、
上記Ｘ軸位置検出手段およびＹ軸位置検出手段がそれぞれ回転軸の一つの特定角度位置を検出して上記フィルム支持体が停止し、マスクフィルムの透光部がモザイクフィルムの一つの群の画素と完全に一致した状態において、上記制御手段は、上記光学センサによるマークの検出位置を初期位置として記憶し、以後のＸ軸駆動機構，Ｙ軸駆動機構の制御の過程で、上記フィルム支持体の停止位置での光学センサによるマークの検出位置と上記初期位置との比較に基づき、上記マスクフィルムとマスクフィルムとの間の相対的位置ずれ量を検出する。
この相対的位置ずれ量の情報に基づき、ゴースト発生を未然に防ぐための対策例えばマスクフィルムとモザイクフィルムの相対的位置調整を実行することができる。
【００１５】
本発明の他の態様は、
（ａ）本体と、
（ｂ）上記本体に設けられた照明手段と、
（ｃ）上記照明手段の前方に配置され、互いに直交するＸ軸，Ｙ軸に沿ってマトリックス状に配した多数の小領域を有し、各小領域に同一面積の複数群の画素をＸ軸，Ｙ軸に沿って配列表示した光透過性のモザイクフィルムと、
（ｄ）上記モザイクフィルムの前面に重なるように配置され、上記複数群の画素のうち一つの群の画素に対応する位置に多数の透光部を形成した光透過不能なマスクフィルムと、
（ｅ）上記モザイクフィルムを支持するモザイクフィルム支持体と、
（ｆ）上記マスクフィルムを支持するマスクフィルム支持体と、
（ｇ）上記本体に設けられ上記モザイクフィルム支持体をＸ軸方向に微小量間欠的に往復動させるモザイクフィルム移動手段と、
（ｈ）上記本体に設けられ上記マスクフィルム支持体をＹ軸方向に微小量間欠的に往復動させるマスクフィルム移動手段と、
（ｉ）上記モザイクフィルム移動手段およびマスクフィルム移動手段を制御する制御手段と
を備え、上記制御手段によるモザイクフィルム移動手段とマスクフィルム移動手段の制御により、上記モザイクフィルム支持体が複数の停止位置のいずれかに停止し、上記マスクフィルム支持体が複数の停止位置のいずれかに停止した時に、上記マスクフィルムの透光部がモザイクフィルムのいずれかの群の画素に一致し、画像を表示させるようにしたことを特徴とする。
【００１６】
上記構成によれば、モザイクフィルムとマスクフィルムを独立して互いに直交する方向に直線的に移動させる構成であるから、移動手段を簡単な構成とすることができる。
【００１７】
【発明の実施の形態】
以下、本発明の一実施形態をなす表示装置について、図面を参照しながら説明する。図１に示すように、表示装置は、本体１０と、カバー１５と、モザイクフィルム支持枠２５に囲われたフィルム受板２０と、マスクフィルム支持枠３０（フィルム支持体）とを大きな構成要素として備えている。後述するように、モザイクフィルム支持枠２５（以下、単にフィルム支持枠２５と称す）にはモザイクフィルム１００が取り付けられ、マスクフィルム支持枠３０（以下、単にフィルム支持枠３０と称す）にはマスクフィルム２００が取り付けられる。これら構成要素は正面形状が四角形をなし、水平軸（Ｘ軸）に沿って延びる上下辺と垂直軸（Ｙ軸）に沿って延びる左右辺とを有している。
【００１８】
図１、図２に示されているように、上記本体１０は、金属製の板により浅い箱形状に形成され、四角形をなす枠部１０ａと後壁１０ｂとを有している。本体１０の前側開口が上記カバー１５により開閉可能に塞がれている。カバー１５は、金属薄板からなる四角形の枠板１５ａと、この枠板１５ａに固定された透明板１５ｂとからなる。
【００１９】
本体１０の内部空間において、その後壁１０ｂの近傍には、複数の蛍光管４０（照明手段）が、上下に等間隔をなして水平に配置されている。図３、図６に良く示されているように、本体１０の後壁１０ｂの左右縁近傍には、垂直に延びるブラケット１１が固定されており、このブラケット１１に、上記蛍光管４０を接続するためのソケット４１が固定されている。
【００２０】
図２にのみ示すように、本体１０の枠部１０ａの下壁には排気口１０ｘが形成され、この排気口１０ｘにはファン９５が取り付けられている。他方、本体１０の枠部１０ａの上壁には吸気口１０ｙが形成され、この吸気口１０ｙにはフィルタ９６が取り付けられている。
【００２１】
図１、図２，図４に示すように、上記本体１０の枠部１０ａの内周には、全周にわたって取付フランジ１２が垂直に（本体１０の後壁１０ｂと平行をなして）固定されている。この取付フランジ１２には、上記フィルム支持枠２５が位置調節された後で固定される。
【００２２】
上記フィルム受板２０は、ガラスまたはポリカーボネート等の硬質の透明樹脂からなり、図１、図２，図７に最も良く示すように、縦断面形状が円弧形状をなし前方に凸となるように湾曲している。すなわち、非常に大きな曲率半径の円筒を縦割りして得られる形状を有している。このフィルム受板２０の前面には、後方からの蛍光管４０の光を拡散する半透明の拡散フィルム２２が貼り付けられている。この拡散フィルム２２はフィルム受板２０の一部をなし、その前面がフィルム受面２０ａとして提供される。
上記フィルム受面２０ａは円筒面（上下が対称をなす凸曲面）からなり、垂直平面に沿う断面形状が円弧（凸曲線）をなし、水平平面に沿う断面形状が直線をなす。
【００２３】
上記フィルム受板２０の周縁部の後面には同材質の枠２３が固着されており、その外周面と後面には、それぞれ断面Ｌ字形で正面から見て四角形をなす金属製の補強金具２５ａ，２５ｂが接着等の手段で固定されている。補強金具２５ａ，２５ｂは互いに接してネジ等の手段で固定されており、両者によりフィルム支持枠２５が構成されている。
図４，図６に示すように、上記フィルム支持枠２５の上縁部と下縁部において垂直をなす板部分の中央には、位置決めピン２６が前方に突出するようにして固定されている。
【００２４】
また、上記フィルム支持枠２５の上縁部と下縁部には、それぞれ複数のねじりばねからなるテンションスプリング２８（引張り手段）が間隔をおいて取り付られている。このテンションスプリング２８は、一端がＵ字形をなしてフィルム支持枠２５の前面に固定され、他端が前方へ突出して引っ掛け部２８ａとなっている。
【００２５】
図１２（Ａ）に示すように、モザイクフィルム１００の上縁部および下縁部の中央には位置決め穴１０１が形成されており、さらに上縁部および下縁部には複数の引っ掛け穴１０２が形成されている。図７に示すように、上下の位置決め穴１０１を上記位置決めピン２６に嵌め、上下縁部の引っ掛け穴１０２をテンションスプリング２８の引っ掛け部２８ａに引っ掛けることにより、モザイクフィルム１００がフィルム支持枠２０に取り付けられている。
【００２６】
上記取り付け状態で、モザイクフィルム１００はフィルム受板２０の円弧面をなすフィルム受面２０ａに接するとともに、上下縁部がテンションスプリング２８で引っ張られているので、フィルム受面２０ａに密着することができる。なお、このモザイクフィルム１００の装着の際に、フィルム受面２０ａとモザイクフィルム１００との間に空気が残ることがあるが、この場合にはモザイクフィルム１００の上からローラを転がすことにより、空気を逃がす。
【００２７】
上記フィルム支持枠２５は、本体１０のフランジ１２に位置調節可能に固定される。図４に示すように、本体１０の左右縁部には上下位置調節機構５０と左右位置調節機構６０が設けられている。上下位置調節機構５０は、図９に最も良く示されているように、上記取付フランジ１２に固定されたブラケット５１を有している。ブラケット５１の下端縁には、係止鍔部５１ａが形成されている。ブラケット５１には前方（図９において紙面と直交する方向）に延びるピン５２が設けられ、このピン５２にはリンク５３の中間部が回動可能に連結されている。
【００２８】
上記リンク５３の一端部（フィルム支持枠２５側の端部）は、回転可能なローラ５３ａ（受部）を有している。上記リンク５３の他端部には、垂直に延びるねじ穴５５ａを有する円柱形状のブロック５５が回動可能に挿入されている。このブロック５５のねじ穴５５ａには、ねじロッド５６の上端部に形成された雄ねじ部５６ａがねじ込まれている。ねじロッド５６は上部に比べて下部の径が太くなっており、上部が上記係止鍔部５１ａを貫通しており、その中間に形成された段差５６ｂが係止鍔５１ａに係止されるようになっている。ねじロッド５６の上部には圧縮コイルスプリング５４が巻かれており、その上下端はリンク５３とブラケット５１の係止鍔部５１ａに当たっている。このコイルスプリング５４は、後述するようにリンク５３にフィルム支持枠２５の荷重が付与される前に、リンク５３の他端部を上方に付勢し、ねじロッド５６を上方に付勢しており、ねじロッド５６の段差５６ｂが係止鍔部５１ａに当たった状態、すなわちリンク５３が水平姿勢にある状態を維持する役割を担う。
上記ねじロッド５６の下端にはユニバーサルジョイント５７を介して操作ロッド５８の上端が連結されている。この操作ロッド５８の下端には操作ダイヤル５９が設けられている。
【００２９】
他方、図５，図９に示すように、フィルム支持枠２５の左右の縁部の前面には、細長く水平に延びるブロック５４（載置部）が固定されている。このブロック５４はフィルム支持枠２５の縁から突出しており、上記リンク５３のローラ５３ａに載せられている。このフィルム支持枠２５の荷重は、上記ねじロッド５６の段差５６ｂが係止鍔部５１ａに係止されることにより、負担できるようになっている。
【００３０】
上記のようにリンク５３のローラ５３ａにフィルム支持枠２５のブロック２９が載った状態において、上記操作ダイヤル５９を回すと、操作ロッド５８，ユニバーサルジョイント５７を介してねじロッド５６が回り、このねじロッド５６の雄ねじ部５６ａとブロック５５のねじ穴５５ａとの螺合作用により、リンク５３が回動調節され、これに伴いローラ５３ａの上下位置が調節され、その結果ブロック２９を固定したフィルム支持枠２５の側縁部の上下位置が調節される。
【００３１】
上記左右位置調節機構６０は、図１０に最も良く示されているように、本体１０の取付フランジ１２に固定されたブロック６１（支持部材）と、このブロック６１にねじ込まれて左右方向に水平に延びる押圧ロッド６２（押圧部材）と、この押圧ロッド６２の中途部に設けられた操作ダイヤル６３とを有している。他方、フィルム支持枠２５の左右の縁部の前面にはブロック２７が固定されている。このブロック２７のほぼ垂直をなす側面は、上記押圧ロッド６２の先端が当たる受面２７ａとして提供される。上記操作ダイヤル６３を回して押圧ロッド６２の突出量を変えることにより、この押圧ロッド６２の先端に当たるブロック２７の左右位置、ひいてはフィルム支持枠２５の左右位置が調節される。なお、上記上下位置調節機構５０のブロック２９は揺動リンク５３のローラ５３ａに載っていて左右方向に移動可能であるため、この位置調節機構６０によるフィルム支持枠２５の左右位置調節を許容することができる。
【００３２】
図４に示すように、上記本体１０の取付フランジ１２の左右縁部には、それぞれ上下に離れて複数のボルト６５が固定されている。図６，図１０に示すように、このボルト６５は前方に突出しており、上記フィルム支持枠２５の左右縁部に形成された穴２５ｘに遊びを介して貫通している。フィルム支持枠２５を取付フランジ１２の前面に当接させた状態でボルト６５に螺合されたナット６７を締め付けることにより、フィルム支持枠２５が取付フランジ１２に固定される。これらフィルム支持枠２５，ボルト６５，ナット６７は、フィルム固定手段を構成している。
【００３３】
図１〜図３に示すように、上記フィルム支持枠３０は、断面四角形の４本のパイプを溶接等により連結することにより、正面形状が四角形に形成されている。このフィルム支持枠３０は、図２、図６、図８に良く示されているように、本体１０の後壁１０ｂと取付フランジ１２との間に配置されている。図８に示すように、フィルム支持枠３０の上面と下面には、断面Ｕ字形をなす細長いブラケット３１が固定されている。他方、本体１０の枠部１０ａの上下の壁には細長い案内ブロック１３が固定されている。上記ブラケット３１を案内ブロック１３に嵌めることにより、フィルム支持枠３０は垂直平面に沿って移動可能となっている。
【００３４】
図２，図３に示すように、フィルム支持枠３０の上下縁部には、左右位置をほぼ等しくして、一対のＸ軸駆動機構７０が設置されており、これら一対のＸ軸駆動機構７０によりＸ軸移動手段が構成されている。フィルム支持枠３０の左右縁部にも、高さをほぼ等しくして一対のＹ軸駆動機構７０’が設置されており、これら一対のＹ軸駆動機構７０’によりＹ軸移動手段が構成されている。本体１０の後壁１０ｂにはコントローラ８０（制御手段）が設置されており、このコントローラ８０でこれら４つの駆動機構７０，７０’を駆動制御することにより、上記フィルム支持枠３０を微小の正方形の軌跡を描くように移動するようになっている。
【００３５】
図８に最も良く示されているように、上側のＸ軸駆動機構７０はハウジング７１を有している。このハウジング７１の下面にはパルスモータ７２が固定されている。パルスモータ７２の出力軸７２ａは垂直に延びてハウジング７１内に入っており、この出力軸７２ａにはウォーム７３が設けられている。ハウジング７１には、前後方向に水平に延びる回転軸７４が回転可能に支持されている。この回転軸７４にはホイール７５が設けられており、このホイール７５が上記ウォーム７３と噛み合っている。これらウォーム７３とホイール７５により減速機構が構成されている。
【００３６】
上記回転軸７４はハウジング７１から前方に突出し、その小径の先端は、ハウジング７１の前面に固定されたブラケット７６に回転可能に支持されている。回転軸７４の先端近傍には偏心カム７７が形成されている。この偏心カム７７は、断面円形をなし、その中心が回転軸７４の中心軸Ｏから偏位している。他方、フィルム支持枠３０の上縁部の下面には垂直をなす支持板３２が固定されている。図８，図１４（Ａ）に示すように、この支持板３２には垂直方向に延びるスリット３３（第１スリット）が形成されており、この垂直スリット３３に上記偏心カム７７が挿入されている。垂直スリット３３の幅は偏心カム７７の径と等しく、その左右側面が垂直受面３３ａ（第１受面）となっている。
下側のＸ軸駆動機構７０は、ハウジング７１とパルスモータ７２との上下関係が逆になるだけで、上側の駆動機構７０と構造は同じであるので、図２に同番号を付してその説明を省略する。
【００３７】
左右のＹ軸駆動機構７０’も上記Ｘ軸駆動機構７０と同じ構成であるので説明を省略する。図６に示すように、これらＹ軸駆動機構７０’に連携される支持板３２は、フィルム支持枠３０の左右縁部の外面に固定されている。図６，図１４（Ｂ）に示すように、この支持板３２には水平に延びるスリット３４（第２スリット）が形成されており、この水平スリット３４に偏心カム７７が挿入されている。この水平スリット３４の上下の側面が水平受面３４ａ（第２受面）となっている。
フィルム支持枠３０の荷重は、スリット３４の上側の受面３４ａがＹ軸駆動機構７０’の偏心カム７７に載ることにより負担されている。
【００３８】
図８に示すように、上記Ｘ軸駆動機構７０のハウジング７１内には、第１の位置検出器８１（位置検出手段）が設置されている。図１１（Ａ）に示すように、第１の位置検出器８１は、回転軸７４に固定された遮光ディスク８１ｘと、この遮光ディスク８１ｘの前側と後側に配置された発光器８１ｙと受光器８１ｚとを備えている。遮光ディスク８１ｘには、径方向に延びる２つのスリット８１ａ，８１ｂが１８０°間隔で形成されている。
同様に、上記Ｙ軸駆動機構７０’のハウジング７１にも図１１（Ｂ）に示す第２の検出器８２（位置検出手段）が設置されている。この第２の位置検出器も、径方向に延びる２つのスリット８２ａ，８２ｂが１８０°間隔で形成された遮光ディスク８２ｘと、発光器８２ｙと受光器８２ｚとを備えている。
【００３９】
図３，図８に示すように、上記フィルム支持枠３０の上縁部と下縁部の前面には前方に突出する位置決めピン３６が設けられ、その左右には複数のねじりばねからなるテンションスプリング３８が取り付られている。上側の位置決めピン３６は図示しないスプリングにより上方に付勢されている。テンションスプリング３８は、一端がフィルム支持枠３０の前面に固定され、他端が前方へ突出して引っ掛け部３８ａとなっている。これら位置決めピン３６，テンションスプリング３８は、本体１０の取付フランジ１２の上下辺部に形成された通し穴１２ａ（図４，図８参照）を通って取付フランジ１２の前方へ突出している。
【００４０】
図１３（Ｂ）に示すように、マスクフィルム１００の上縁部および下縁部の中央には位置決め穴２０１が形成されており、さらに上縁部および下縁部には間隔をおいて複数の引っ掛け穴２０２が形成されている。図８に示すように、上下の位置決め穴２０１を上記位置決めピン３６に嵌め、上下縁部の引っ掛け穴２０２をテンションスプリング３８の引っ掛け部３８ａに引っ掛けることにより、マスクフィルム２００がフィルム支持枠３０に取り付けられている。
上記マスクフィルム２００はフィルム受板２０の円弧面をなすフィルム受面２０ａに、モザイクフィルム１００を介して装着される。マスクフィルム２００は上下縁部をテンションスプリング３８で引っ張られているので、モザイクフィルム１００に密着することができる。
【００４１】
なお、図１２（Ｂ），図８に示すように、マスクフィルム２００の上下縁部には逃がし穴２０３が形成されており、この逃がし穴２０３にモザイクフィルム１００のための位置決めピン２６，テンションスプリング２８が通るため、これらがマスクフィルム２００の装着の際に支障となることはない。
【００４２】
上記モザイクフィルム１００は、図１２（Ａ）に示すように、四角の透明樹脂製のフィルム材からなり、四角のモザイク画像表示領域１１０を有している。このモザイク画像表示領域１１０は、多数の小領域に区分けされている。すなわち、これら小領域は、水平方向，垂直方向にマトリックス状に配列されている。図１４（Ａ）に想像線で囲んで示すように、この小領域１１１は正方形をなしており、この小領域１１１には４つの群に属する正方形の画素１ａ〜１ｄが一つずつ表示されている。第１群に属する画素１ａは、小領域１１１の左上に位置し、第２群に属する画素１ｂは右上に位置し、第３群に属する画素１ｃは右下に位置し、第４群に属する画素１ｄは左下に位置している。
【００４３】
上記マスクフィルム２００は四角の不透明樹脂製のフィルム材からなり、図１２（Ｂ）に示すように、上記モザイクフィルム１００のモザイク画像表示領域１１０に対応する画像透過領域２１０を有している。この画像透過領域２１０には、図１３（Ｂ）に示すように多数の正方形の開口２（透光部）が縦横に等間隔をおいて多数形成されている。この開口２は、上記モザイクフィルム１００の１つ群の画素例えば画素１ａに対応した位置に形成されており、この画素と等しい面積を有している。
【００４４】
上記構成をなす表示装置による作用を説明する。コントローラ７２は、一対のＸ軸駆動機構７０のパルスモータ７２を同期駆動し、一対のＹ軸駆動機構７０’のパルスモータ７２を同期駆動する。基本制御では、Ｘ軸駆動機構７０のパルスモータ７２と、一対のＹ軸駆動機構７０’パルスモータ７２とを交互に駆動する。
【００４５】
Ｘ軸駆動機構７０のパルスモータ７２が駆動すると、ウォーム７３が回転し、この回転がホイール７５を介して減速されて回転軸７４に伝達される。すると、回転軸７４に設けられた偏心カム７７が回動し、この偏心カム７７の回動が垂直スリット３３の受面３３ａを介して、フィルム支持枠３０の左右方向（水平方向）の移動に変換される。フィルム支持枠３０が左限位置に達した時、すなわち回転軸７４が一方の特定の回転角度位置（特定角度位置）に達した時に、第１の位置検出器８１の受光器８１ｘが遮光ディスク８１ｘのスリット８１ａを検出し、コントローラ８０はこの検出信号に応答してＸ軸駆動機構７０のパルスモータ７２を一時停止させるようになっている。また、フィルム支持枠３０が右限位置に達した時、すなわち回転軸７４が他方の特定角度位置に達した時には、受光器８１ｚが遮光ディスク８１ｘの他のスリット８１ｂを検出し、コントローラ８０はこの検出信号に応答してＸ軸駆動機構７０のパルスモータ７２を一時停止させるようになっている。
【００４６】
同様にＹ軸駆動機構７０のパルスモータ７２が駆動すると、偏心カム７７が回動し、この偏心カム７７の回動が水平スリット３４の受面３４ａを介して、フィルム支持枠３０の上下方向（垂直方向）の移動に変換される。フィルム支持枠３０が上限位置に達した時、すなわち回転軸７４が一方の特定角度位置に達した時に、第２の位置検出器８２の受光器８２ｘが遮光ディスク８２ｘのスリット８２ａを検出し、コントローラ８０はこの検出信号に応答して一時停止するようになっている。また、フィルム支持枠３０が下限位置に達した時、すなわち回転軸７４が他方の特定角度位置に達した時には、受光器８２ｚが遮光ディスク８２ｘの他のスリット８２ｂを検出し、コントローラ８０はこの検出信号に応答して一時停止するようになっている。
【００４７】
まず、第１の制御モード（基本的な制御モード）について説明する。コントローラ８０は、第１位置検出器８１がスリット８１ａを検出してＸ軸駆動機構７０が停止した状態（フィルム支持枠３０が左限位置にある状態）で、Ｙ軸駆動機構７０’を駆動させ、第２位置検出器８２がスリット８２ａを検出した時にＹ軸駆動機構７０’を一時停止させる。その結果、フィルム支持枠３０は左限位置かつ上限位置で停止し、これに伴いマスクフィルム２００の開口２が微小の四角の軌跡Ｔ上の点Ｐａで停止し、モザイクフィルム１００の第１群の画素１ａに一致する。これにより、第１群の画素１ａの集合体である第１の画像が表示される。
【００４８】
フィルム支持枠３０の所定停止時間後に、コントローラ８０はＹ軸駆動機構７０’の停止状態を維持したままＸ軸駆動機構７０を駆動させ、第１位置検出器８１がスリット８１ｂを検出した時にＸ軸駆動機構７０を停止させる。その結果、フィルム支持枠３０は右限位置かつ上限位置で停止し、これに伴い開口２が軌跡Ｔ上の点Ｐｂで停止し、第２群の画素１ｂに一致する。これにより、第２群の画素１ｂの集合体である第２の画像を表示する。
【００４９】
フィルム支持枠３０の所定停止時間後に、コントローラ８０はＸ軸駆動機構７０の停止状態を維持したままＹ軸駆動機構７０’を駆動させ、第２位置検出器８２がスリット８２ｂを検出した時にＹ軸駆動機構７０’を停止させる。その結果、フィルム支持枠３０は右限位置かつ下限位置で停止し、これに伴い開口２が軌跡Ｔ上の点Ｐｃで停止し、第３群の画素１ｃに一致する。これにより、第３群の画素１ｃの集合体である第３の画像を表示する。
【００５０】
フィルム支持枠３０の所定停止時間後に、コントローラ８０はＹ軸駆動機構７０’の停止状態を維持したままＸ軸駆動機構７０を駆動させ、第１位置検出器８１がスリット８１ａを検出した時にＸ軸駆動機構７０を停止させる。その結果、フィルム支持枠３０は左限位置かつ下限位置で停止し、これに伴い開口２が軌跡Ｔ上の点Ｐｄで停止し、第４群の画素１ｄに一致する。これにより、第４群の画素１ｄの集合体である第４の画像を表示する。
このようにして、上記マスクフィルム２００は、図１３（Ｂ）に示すように、上記モザイクフィルム１００に対して時計回り方向に微小の正方形の軌跡Ｔを描いて間欠移動し、第１〜第４の画像を順に繰り返し表示する。
【００５１】
次に第２の制御モードについて説明する。コントローラ８０は、Ｙ軸駆動機構７０’を停止させて、フィルム支持体３０を上限位置に維持した状態で、第１位置検出器８１での検出信号に基づいてＸ軸駆動機構７０だけを間欠駆動する。この場合、マスクフィルム２００の開口２がモザイクフィルム１００の第１群の画素１ａと第２群の画素１ｂに交互に一致し、これら画素１ａ，１ｂに対応する第１，第２の２つの画像を切り換え表示する。
【００５２】
次に第３の制御モードについて説明する。コントローラ８０は、Ｙ軸駆動機構７０’を停止させてフィルム支持体３０を下限位置に維持した状態で、第１位置検出器８１での検出信号に基づいてＸ軸駆動機構７０だけを間欠駆動する。この場合、マスクフィルム２００の開口２がモザイクフィルム１００の第３群の画素１ｃと第４群の画素１ｄに交互に一致し、これら画素１ｃ，１ｄに対応する第３，第４の２つの画像を切り換え表示する。
【００５３】
第４の制御モードでは、コントローラ８０は、Ｘ軸駆動機構７０を停止させてフィルム支持体３０を左限位置に維持した状態で、第２位置検出器８２での検出信号に基づいてＹ軸駆動機構７０’だけを間欠駆動する。この場合、マスクフィルム２００の開口２がモザイクフィルム１００の第１群の画素１ａと第４群の画素１ｄに交互に一致し、これら画素１ａ，１ｄに対応する第１，第４の２つの画像を切り換え表示する。
【００５４】
第５の制御モードでは、コントローラ８０は、Ｘ軸駆動機構７０を停止させてフィルム支持体３０を右限位置に維持した状態で、第２位置検出器８２での検出信号に基づいてＹ軸駆動機構７０’だけを間欠駆動する。この場合、マスクフィルム２００の開口２がモザイクフィルム１００の第２群の画素１ｂと第３群の画素１ｃに交互に一致し、これら画素１ｂ，１ｃに対応する第２、第３の２つの画像を切り換え表示する。
【００５５】
第６の制御モードでは、Ｘ軸駆動機構７０，Ｙ軸駆動機構７０’を位置検出器８１，８２の検出信号に基づき同時に駆動することにより、フィルム支持体３０を上限位置かつ左限位置で一時停止させ、また下限位置かつ右限位置で一時停止させる。この場合、マスクフィルム２００の開口２がモザイクフィルム１００の第１群の画素１ａと第３群の画素１ｃに交互に一致し、これら画素１ａ，１ｃに対応する２つの画像を切り換え表示する。
第７の制御モードでは、第６制御モードと同様にＸ軸駆動機構７０，Ｙ軸駆動機構７０’を位置検出器８１，８２の検出信号に基づき同時に駆動することにより、フィルム支持体３０を上限位置かつ右限位置で一時停止させ、また下限位置かつ左限位置で一時停止させる。この場合、マスクフィルム２００の開口２がモザイクフィルム１００の第２群の画素１ｂと第４群の画素１ｄに交互に一致し、これら画素１ｂ，１ｄに対応する２つの画像を切り換え表示する。
【００５６】
上記制御モードはモード選択スイッチにより指定してもよいし、タイマからの時間帯情報に基づき制御モードを切り換えてもよい。例えば午前中は清涼飲料水の広告画像である２つの画像を切り換え表示し、午後は、アルコール飲料水の広告画像である２つの画像を切り換え表示する。
【００５７】
上記表示状態において、蛍光管４０から発せられる熱が本体１０内に蓄えられ、特に夏場には上部で高温になることが予想される。本実施形態では、表示動作を行っている時にファン９５を駆動させることにより、本体１０の上縁部からフィルタ９６を介して外気を吸入し、内部空気を下縁部から排出している。そのため、本体１０の上部には新鮮な空気が入り込むので高温にならず、また温度勾配もほぼ均等になる。その結果、フィルム２０，３０の熱膨張を防止でき、ゴーストの発生を防止できる。
【００５８】
上記構成をなす表示装置の組み立てについて説明する。予め本体１０には蛍光灯４０，位置調節機構５０，６０，駆動機構７０，７０’，コントローラ８０，ファン９５，フィルタ９６等を組み込んでおく。取付フランジ１２を取り付ける前にフィルム支持枠３０を駆動機構７０，７０’に取り付ける。次に、取付フランジ１２を本体１０に固定する。次に、フランジ１２にフィルム支持枠２５を当接し、左右のブロック２９を上下位置調節機構５０のリンク５３に載せてその荷重を負担させる。この状態でボルト６５をフィルム支持枠２５の穴２５ｘに通し、このボルト６５にナット６７を螺合させておく。なお、ナット６７は強く締め付けず、フィルム支持枠２５が垂直面上を移動可能にしておく（仮止め状態）。
【００５９】
次に、フィルム支持枠２５に前述したようにしてモザイクフィルム１００を取りつけ、それからフィルム支持枠３０にマスクフィルム２００を取り付け、両者をフィルム受板２０の湾曲した受面２０ａにおいて重合させる。組み立て誤差により両フィルム１００，２００はずれている。このずれはゴーストを生む原因となる。そこで、仮止め状態のフィルム支持枠２５の位置調節を行う。以下、詳述する。
【００６０】
図示しない設定スイッチをオンすると、コントローラ８０はこれに応答して、Ｘ軸駆動機構７０，Ｙ軸駆動機構７０’を制御し、フィルム支持枠３０を上限位置，左限位置に一致させ、これにより、マスクフィルム２００の開口２を第１群の画素１ａに対応した位置にする。
【００６１】
左側の上下位置調節機構５０により、モザイクフィルム１００のモザイク画像表示領域１１０の左側の画素１ａの上下の縁を、マスクフィルム２００の開口２の上下の縁と一致させる。同様にして、右側の上下位置調節機構５０により、モザイクフィルム１００のモザイク画像表示領域１１０の右側の画素１ａの上下の縁を、マスクフィルム２００の開口２の上下の縁と一致させる。このようにしてフィルム支持枠２５の上下位置調節，ひいてはモザイクフィルム１００の上下位置調節が終了する。なお、この上下位置調節は左右別々に行えるので、モザイクフィルム１００の傾きも調整される。
【００６２】
上述の上下位置調節作業を行う際に、一対の左右位置調節機構６０はフィルム支持枠２５のブロック２７から離しておく。上下位置調節作業が終了した後、一方の左右位置調節機構６０を操作して、押圧ロッド６２をブロック２７に当てながらフィルム支持枠２０を微少量横移動させ、これにより、選択した一つの群の画素１ａの左右の縁を、マスクフィルム２００の開口２の左右の縁と一致させる。このようにして左右位置調節が終了した後、他方の左右位置調節機構６０のねじ棒２７を操作してブロック２７に当てる。このようにして、フィルム支持枠２０は横移動を禁じられる。最後にナット６７を締め付けることにより、フィルム支持枠２０を取付フランジ１２に固定する。
なお、マスクフィルム２００の開口２が他の画素１ｂ、１ｃ、１ｄに対応する位置にある状態でもフィルム支持体３０の位置調整を行ってもよい。
【００６３】
最後に、稼動期間中の位置調整について説明する。図１５に示すように、マスクフィルム２００の縁部または隅部には十字形のマーク２０５が表示されている。本体１０にはこのマーク２０５に対峙するようにしてイメージセンサ９０（光学センサ）が設置されている。上記のようにフィルム支持体２０の位置決めが完了した後に、フィルム支持枠３０が４つの停止位置のうちの一つの停止位置（例えば上限位置かつ左限位置）にある状態で、コントローラ８０はこのイメージセンサ９０で検出されたマーク２０５の位置を初期位置として記憶する。
【００６４】
以後、通常の表示制御を繰り返す過程で、コントローラ８０は、上記フィルム支持枠３０が一つの停止位置にある時にイメージセンサ９０で検出されたマーク２０５の現在位置と、上記初期位置と比較して、水平方向，垂直方向のいずれかの位置ずれ量（換言すればモザイクフィルム１００とマスクフィルム２００の相対的位置ずれ量）を検出し、この位置ずれ量が許容値を超えた時には、コントロールセンターにゴースト発生信号を出力する。このトロールセンターではこれを受けて修理担当の人間を派遣し、上記と同様に位置調節機構５０，６０を操作して位置調整を行う。なお、コントローラ８０に記憶された上記位置ずれ情報は、この手動位置調整の際に役立てることができる。
【００６５】
次に、本発明の第２実施形態について説明する。この実施形態では、図１６（Ａ）に示すように、モザイクフィルム支持枠２５（モザイクフィルム支持体）の上下縁部には、左右位置をほぼ等しくして、一対のＸ軸駆動機構１７０が設置されており、これら一対のＸ軸駆動機構１７０によりＸ軸移動手段が構成されている。マスクフィルム支持枠３０（マスクフィルム支持体）の左右縁部にも、高さをほぼ等しくして一対のＹ軸駆動機構１７０’が設置されており、これら一対のＹ軸駆動機構１７０’によりＹ軸移動手段が構成されている。
他の構成は第１実施形態と同様であるから、図示を省略する。
【００６６】
Ｘ軸駆動機構１７０，Ｙ軸駆動機構１７０’は、図示しないパルスモータ，減速機構と、ピニオン１７１，１７１’とラック１７２、１７２’をそれぞれ備えている。パルスモータおよび減速機構は本体に設置されている。Ｘ軸駆動機構１７０のラック１７２はモザイクフィルム支持枠２５に固定され、Ｙ軸駆動機構１７０’のラック１７２’はマスクフィルム支持枠３０に固定されている。Ｘ軸駆動機構１７０において、パルスモータの正転により減速機構を介してピニオン１７１が回転すると、ピニオン１７１とラック１７２の噛み合いにより、モザイクフィルム支持枠２５は右方向に移動し、右限位置で一時停止する。パルスモータが逆転すると、モザイクフィルム支持枠２５は左方向に移動し、左限位置で一時停止する。同様にＹ軸駆動機構１７０’において、パルスモータの正転によりピニオン１７１’が回転すると、ピニオン１７１’とラック１７２’の噛み合いにより、マスクフィルム支持枠３０は上方向に移動し、上限位置で一時停止する。パルスモータが逆転すると、マスクフィルム支持枠３０は下方向に移動し、下限位置で一時停止する。この移動制御は第１実施形態と同様である。
【００６７】
上記移動制御のフィードバック位置検出信号は、各フィルムに設けられたマークと光学センサにより得てもよい。モザイクフィルムに付される２つのマーク（例えば２つの垂直線）は、左限位置，右限位置を表す。マスクフィルムに付される２つのマーク（例えば２つの水平線）は、上限位置，下限位置を表す。
【００６８】
本発明は上記実施形態に制約されず、種々の形態を採用可能である。例えば第１実施形態とは逆に、マスクフィルム支持枠を位置調節可能に本体に固定し、モザイクフィルム支持枠（フィルム支持体）をフィルム移動手段により間欠移動させてもよい。
本発明は、モザイクフィルムの各小領域において、Ｘ軸方向またはＹ軸方向のいずれか一方に２つの群の画素を配列し、他方に３つ以上の群の画素を配列してもよい。例えばＸ軸方向に２つの群の画素を配列し、Ｙ軸方向に３つの群の画素を配列すれば、各小領域に６つの群の画素を表示することになり、６つの画像の切り換え表示を行うことができる。また、Ｘ軸方向またはＹ軸方向のそれぞれに３つ以上の群の画素を配列してもよい。例えばＸ軸方向またはＹ軸方向に３つの群の画素を配列すれば、各小領域に９つの群の画素を表示することになり、９つの画像の切り換え表示を行うことができる。
【００６９】
第１実施形態において、各Ｙ軸駆動機構に対応する上下一対の水平受面のうち、下側の水平受面は省いてもよい。フィルム支持体の自重により上側の水平受面が偏心カムに常時当たっているからである。また、各Ｘ軸駆動機構に対応する垂直受面は１つであってもよい。この場合、フィルム支持体を弾性部材で付勢してこの垂直受面が偏心カムに常時当たるようにする。この場合、駆動機構のカムとして、断面円形の偏心カムの代わりに種々の形状のカムを用いることができる。フィルム支持体を水平方向に移動させる　Ｘ軸移動機構の一方は省いてもよい。
【００７０】
【発明の効果】
以上説明したように本発明によれば、モザイクフィルムまたはマスクフィルムを支持するフィルム支持体の微少量のＸ軸方向の移動とＹ軸方向の移動を、別個のＸ軸移動手段，Ｙ軸移動手段で行うようにしたので、移動手段の構成を簡略化することができ、メンテナンスの負担を軽くすることができる。
【図面の簡単な説明】
【図１】本発明の一実施形態をなす表示装置において大きな構成要素のみを示す分解斜視図である。
【図２】同表示装置を、モザイクフィルム，マスクフィルムを省いて示す縦断面図である。
【図３】同表示装置において、本体と、取付フランジより後側の構成とを示す正面図である。
【図４】同表示装置において、上記本体および取付フランジと、それより前側に位置する位置調節機構とを示す正面図である。
【図５】上記モザイクフィルム支持枠の正面図である。
【図６】上記表示装置の右縁部を拡大して示す平断面図である。
【図７】上記モザイクフィルム支持枠を拡大して示す縦断面図である。
【図８】上記表示装置の上部を拡大して示す縦断面図である。
【図９】上記表示装置の上下位置調節機構を拡大して示す正面図である。
【図１０】同表示装置の左右位置調節機構を拡大して示す正面図である。
【図１１】マスクフィルムを移動するための駆動機構に設置される位置検出器の遮光ディスクの正面図であり、（Ａ）は第１位置検出器の遮光ディスク、（Ｂ）は第２位置検出器の遮光ディスクをそれぞれ示す。
【図１２】（Ａ）はモザイクフィルムの正面図であり、（Ｂ）はマスクフィルムの正面図である。
【図１３】（Ａ）はモザイクフィルムの画素を示す拡大正面図であり、（Ｂ）はマスクフィルムの開口を示す拡大正面図である。
【図１４】（Ａ）はＸ軸駆動機構の偏心ピンとフィルム支持体の垂直スリットを示す正面図であり、（Ｂ）はＹ軸駆動機構の偏心ピンとフィルム支持体の水平スリットを示す正面図である。
【図１５】マスクフィルムの隅部に表示されたマークと、このマークを検出するイメージセンサを示す正面図である。
【図１６】本発明の第２実施形態を示し、（Ａ）はモザイクフィルム支持枠とＸ軸駆動機構を示す正面図であり、（Ｂ）はマスクフィルム支持枠とＹ軸駆動機構を示す正面図である。
【符号の説明】
１ａ〜１ｄ　画素
２　開口（透光部）
１０　本体
３３　垂直スリット（第１スリット）
３３ａ　垂直受面（第１受面）
３４　水平スリット（第２スリット）
３４ａ　水平受面（第２受面）
４０　蛍光管（照明手段）
５０　上下位置調節機構
６０　左右位置調節機構
７０，１７０　Ｘ軸駆動機構（Ｘ軸移動手段）
７０’，１７０’　Ｙ軸駆動機構（Ｙ軸移動手段）
７２　モータ
７３，７５　減速機構
７４　回転軸
７７　偏心カム
８０　コントローラ（制御手段）
８１　第１位置検出器（第１位置検出手段）
８２　第２位置検出器（第２位置検出手段）
９０　イメージセンサ（光学センサ）
１００　モザイクフィルム
２００　マスクフィルム
２０５　マーク
【図１】
2004020931.tif 000003
【図２】
2004020931.tif 000004
【図３】
2004020931.tif 000005
【図４】
2004020931.tif 000006
【図５】
2004020931.tif 000007
【図６】
2004020931.tif 000008
【図７】
2004020931.tif 000009
【図８】
2004020931.tif 000010
【図９】
2004020931.tif 000011
【図１０】
2004020931.tif 000012
【図１１】
2004020931.tif 000013
【図１２】
2004020931.tif 000014
【図１３】
2004020931.tif 000015
【図１４】
2004020931.tif 000016
【図１５】
2004020931.tif 000017
【図１６】
2004020931.tif 000018